(57)【要約】【課題】高出力設定に対応して設計された昇圧回路を有する閃光放電ランプ点灯装置において、低出力設定の場合の回路損失及びスイッチングノイズを低減する。  【解決手段】本発明の閃光放電ランプ点灯装置は、入力電圧を昇圧及び充電する第１の電源回路、動作状態にあるときに第１の電源回路の出力電圧を昇圧して出力し、非動作状態にあるときに第１の電源回路の出力電圧を出力する第２の電源回路、第２の電源回路の出力電圧が入力され、閃光放電ランプへの出力電流を制御する電流制御回路、及び閃光放電ランプのランプ出力設定値が入力され、ランプ出力設定値が所定の閾値以上の場合には第２の電源回路及び電流制御回路を動作させ、ランプ出力設定値が所定の閾値未満の場合には第２の電源回路を非動作として電流制御回路を動作させるように構成された制御部を備える。【選択図】図１
2014067571.tif 000002
【特許請求の範囲】
【請求項１】
閃光放電ランプを閃光点灯させる閃光放電ランプ点灯装置であって、
入力電圧を昇圧及び充電する第１の電源回路、
動作状態にあるときに前記第１の電源回路の出力電圧を昇圧して出力し、非動作状態にあるときに該第１の電源回路の出力電圧を出力する第２の電源回路、
前記第２の電源回路の出力電圧が入力され、前記閃光放電ランプへの出力電流を制御する電流制御回路、及び
前記閃光放電ランプのランプ出力設定値が入力され、該ランプ出力設定値が所定の閾値以上の場合には前記第２の電源回路及び前記電流制御回路を動作させ、該ランプ出力設定値が所定の閾値未満の場合には前記第２の電源回路を非動作として前記電流制御回路を動作させるように構成された制御部
を備えた閃光放電ランプ点灯装置。
【請求項２】
請求項１に記載の閃光放電ランプ点灯装置において、前記ランプ出力設定値がランプ電流の設定値、ランプ電力の設定値若しくはランプ点灯時間の設定値又はこれらの組合せである、閃光放電ランプ点灯装置。
【請求項３】
請求項１に記載の閃光放電ランプ点灯装置において、前記ランプ出力設定値がランプ電流設定値とランプ点灯時間設定値の積である、閃光放電ランプ点灯装置。
【請求項４】
請求項１から３のいずれか一項に記載の閃光放電ランプ点灯装置において、前記制御部が通信手段を有し、該通信手段が入力手段からの前記ランプ出力設定値の入力を受信するように構成された閃光放電ランプ点灯装置。
【請求項５】
請求項１から４のいずれか一項に記載の閃光放電ランプ点灯装置、
前記閃光放電ランプ点灯装置に接続されたキセノンランプからなる前記閃光放電ランプ、及び
前記制御部に前記ランプ出力設定値を入力するための入力手段
を備えた擬似太陽光照射装置。
【発明の詳細な説明】
【技術分野】
【０００１】
本発明は閃光放電ランプ点灯装置及びそれを用いた擬似太陽光照射装置に関する。
【背景技術】
【０００２】
太陽電池の光電変換特性などの各種太陽エネルギー利用機器の性能測定のために、自然太陽光のスペクトル分布を再現する擬似太陽光を被照射体に照射する擬似太陽光照射装置が知られている。このような装置では、キセノンランプ（以下、「ランプ」という）からなる光源が箱体内に設置され、光源からの光が光学フィルタを介して照射されることで放射面から擬似太陽光が放射される。
【０００３】
擬似太陽光照射装置では、発光長が１０００ｍｍから１９００ｍｍ以上のランプが用いられ、直流のランプ電流が通電される。そのランプ電流値が点灯装置によって調整されることにより、照射面の照度が制御される。一般的に、点灯時のランプ電流、ランプ点灯継続時間等は照射対象となる太陽電池モジュールの性能や特性によって異なり、パソコン等で任意に設定されて擬似太陽光照射装置に入力される。点灯時のランプ電流は数十アンペア（例えば２０Ａ〜７０Ａ）、ランプ電圧は数百ボルト（例えば３００Ｖ〜８００Ｖ）程度であり、このランプ電流／電圧が、１回の点灯あたり数十ミリ秒から数百ミリ秒にわたって通電／印加される。この出力状態が定電流又は定電力で制御され、点灯期間中に被照射体、即ち、太陽電池モジュールの性能が測定される。
【０００４】
上記のような閃光放電では瞬時に数十ｋＷ程度の大電力がランプに供給されることになる。そのような大電力を、瞬時とはいえ商用電源から直接供給すると、同じ商用電源の系統の周辺機器に障害を及ぼすことや、商用電源と照射装置の間に容量の大きい接点及び配線が必要となることが問題となる。そこで一般には、照射装置内に点灯装置を設け、点灯装置において電力をコンデンサ等の蓄積素子に蓄積し、点灯指令に応じてその蓄積された電力をランプに供給する構成が採用される（例えば、特許文献１参照）。
【先行技術文献】
【特許文献】
【０００５】
【特許文献１】特開２００９−２８３８４６号公報
【発明の概要】
【発明が解決しようとする課題】
【０００６】
ところで、閃光放電におけるランプ電力の設定や点灯時間の設定には幅があり（上記の例では、６ｋＷ〜５６ｋＷ、数十ミリ秒〜数百ミリ秒）、昇圧のための回路は、高いランプ電力設定及び長い点灯時間設定（高出力設定）に対応させて設計される必要がある。しかし、そのような高出力設定に対応して設けられた昇圧回路は、低いランプ電力設定又は短い点灯時間設定（低出力設定）による点灯の場合には動作させる必要がない場合もある。このような昇圧回路の不要な動作は、無用な回路損失及びスイッチングノイズを発生させてしまうことになる。
【０００７】
そこで、本発明は、高出力設定に対応して設計された昇圧回路を有する閃光放電ランプ点灯装置において、低出力設定の場合の回路損失及びスイッチングノイズを低減することを課題とする。また、本発明は、広範なランプ（種々の長さ及び特性のランプ）を点灯させることが可能で、安価で信頼性が高くかつ汎用性の高い擬似太陽光照射装置を提供することを課題とする。
【課題を解決するための手段】
【０００８】
本発明の閃光放電ランプ点灯装置は、入力電圧を昇圧及び充電する第１の電源回路、動作状態にあるときに第１の電源回路の出力電圧を昇圧して出力し、非動作状態にあるときに第１の電源回路の出力電圧を出力する第２の電源回路、第２の電源回路の出力電圧が入力され、閃光放電ランプへの出力電流を制御する電流制御回路、及び閃光放電ランプのランプ出力設定値が入力され、ランプ出力設定値が所定の閾値以上の場合には第２の電源回路及び電流制御回路を動作させ、ランプ出力設定値が所定の閾値未満の場合には第２の電源回路を非動作として電流制御回路を動作させるように構成された制御部を備える。
【０００９】
ここで、ランプ出力設定値はランプ電流の設定値、ランプ電力の設定値若しくはランプ点灯時間の設定値又はこれらの組合せであればよい。
また、ランプ出力設定値はランプ電流設定値とランプ点灯時間設定値の積であってもよい。
さらに、制御部は通信手段を有し、通信手段が入力手段からのランプ出力設定値の入力を受信するように構成されていることが好ましい。
【００１０】
本発明の擬似太陽光照射装置は、上記の閃光放電ランプ点灯装置、閃光放電ランプ点灯装置に接続されたキセノンランプからなる閃光放電ランプ、及び制御部にランプ出力設定値を入力するための入力手段を備える。
【図面の簡単な説明】
【００１１】
【図１】本発明の実施例による閃光放電ランプ点灯装置の回路構成図である。
【図２】本発明の実施例における動作選択処理を示すフローチャートである。
【図３】本発明の変形例における動作選択処理を示すフローチャートである。
【図４】本発明の実施例における高出力モードの動作を説明するタイミングチャートである。
【図５】本発明の実施例における低出力モードの動作を説明するタイミングチャートである。
【発明を実施するための形態】
【００１２】
図１に本発明の実施例で使用する閃光放電ランプ点灯装置（以下、「点灯装置」という）を示す。点灯装置は整流入力回路１００、電源回路２００（第１の電源回路）、電流制御回路３００、イグナイタ回路３５０、電源回路４００（第２の電源回路）及び制御部５００を備える。なお、上記及び以降の説明において、各回路素子が上記のどの回路に属するかは便宜的なものであり、本発明を拘束するものではない。
【００１３】
また、上記の点灯装置、点灯装置に接続されたランプ５０、ランプ５０を内包する箱体（不図示）、点灯装置への入力手段等を備えることにより擬似太陽光照射装置を構成することができる。点灯装置を擬似太陽光照射装置に用いる場合、ランプ５０はキセノンランプからなる。
【００１４】
整流入力回路１００は整流器１及び平滑コンデンサ２を備え、ＡＣ電源は整流器１によって全波整流されるとともに平滑コンデンサ２によって平滑化される。なお、本実施例では、整流入力回路１００にコンデンサインプット型のものと用いているが、力率改善回路等を用いてもよい。また、ＡＣ電源の代わりにＤＣ電源が入力電源となる場合は、整流入力回路１００は不要である。
【００１５】
電源回路２００は、トランジスタ３〜６からなるフルブリッジ回路、ＰＷＭ制御回路７、昇圧トランス８、整流器９、電流制限用コイル１０、電解コンデンサ（充電コンデンサ）１１、充電電圧検出部１２、電流検出抵抗１３、誤差増幅器１４及び基準電源１５を備える。フルブリッジ回路はＰＷＭ制御回路７によってスイッチング制御され、トランジスタ３及び６とトランジスタ４及び５が交互にオン・オフされるとともにその導通時間が制御される。昇圧トランス８の一次巻線にはフルブリッジ回路の出力が接続され、二次側には巻数比に応じた電圧が発生する。昇圧トランスの二次巻線に発生した電圧は、整流器９、電流制限用コイル１０及び充電コンデンサ１１で整流及び平滑化される。
【００１６】
電源回路２００は制御部５００（ＣＰＵ５０１）からの充電開始信号を受けて動作を開始する。充電動作中は、電流検出抵抗１３によって検出される電流値（電流検出抵抗１３に発生する電圧）が目標値（基準電源１５の電圧）に等しくなるように誤差増幅器１４及びＰＷＭ制御回路７が動作し、所定の充電電流で充電が行われる。充電電圧検出部１２によって検出される充電電圧がランプ電圧よりも充分に高い設定電圧（例えば、９００Ｖ）に達すると、ＰＷＭ制御回路７はフルブリッジ回路の動作を一旦停止（又は充電電圧を保持）し、スタンバイ状態とする。ここで、ＰＷＭ制御回路７は充電完了信号を制御部５００に出力する。
【００１７】
電流制御回路３００はＩＧＢＴ等の半導体スイッチ１６、ダイオード１７、チョークコイル１８、コンデンサ１９、電流検出抵抗２０、ＰＷＭ制御回路２１及び誤差増幅器２２を含み、降圧チョッパ回路を構成する。イグナイタ回路３５０は始動回路２３及びパルストランス２４及びを含み、パルストランス２４の２次巻線はチョークコイル１８に直列接続される。
【００１８】
電流制御回路３００及びイグナイタ回路３５０には、後述する電源回路４００の出力電圧が入力され、制御部５００（ＣＰＵ５０１）からの点灯開始信号を受けて動作を開始する。電流制御回路３００のＰＷＭ制御回路２１が点灯開始信号に応じて動作を開始し、動作開始時点でランプ５０の両端に、上記電源回路４００の出力電圧とほぼ等しい直流電圧が印加される。一方、イグナイタ回路３５０の始動回路２３は点灯指令信号に応じて起動してパルストランス２４の１次巻線にパルス電圧を発生させ、パルストランスの１次／２次巻数比に応じて２次巻線に高圧パルスが発生する。これにより、上記のコンデンサ２８の電圧に高圧パルスが重畳された電圧がランプに印加され、ランプ５０の絶縁破壊が起こる。
【００１９】
ランプ５０が絶縁破壊されると、コンデンサ２８の電圧を電源として電流制御回路３００からの制限された電流がランプ５０に投入される。半導体スイッチ１６はＰＷＭ制御回路２１によって導通時間が制御されてスイッチングされる。半導体スイッチ１６がオンの期間にはコンデンサ２８→半導体スイッチ１６→チョークコイル１８→パルストランス２４の２次巻線→ランプ５０→コンデンサ２８の経路に電流が流れる。一方、半導体スイッチ１６がオフの期間にはチョークコイル１８に蓄えられた電力を元に、チョークコイル１８→パルストランス２４の２次巻線→ランプ５０→ダイオード１７→チョークコイル１８の経路に電流が流れる。コンデンサ１９はランプ５０への出力を平滑化し、ランプ電流のリップル成分を抑制又は除去する。電流検出抵抗２０によってランプ電流が検出され、検出ランプ電流に比例する電圧信号（検出電圧）が誤差増幅器２２の負入力端子に入力される。ランプ電流の設定値に比例するＣＰＵ５０１からの可変の電圧信号が誤差増幅器２２の正入力端子に入力される。そして、誤差増幅器２２の両入力が等しくなるようにＰＷＭ制御回路２１によって半導体スイッチ１６の導通時間がＰＷＭ制御される。これにより、コンデンサ２８を電源とするランプ５０の定電流直流点灯が行われる。
【００２０】
電源回路４００はコイル２５、ダイオード２６、ＩＧＢＴ等の半導体スイッチ２７、電解コンデンサ２８、分圧抵抗２９、誤差増幅器３０及びＰＷＭ制御回路３１を備え、昇圧チョッパ回路を構成する。なお、コンデンサ２８の容量は電源回路２００の充電コンデンサ１１の容量よりも小さい。電源回路４００は、制御部５００（ＣＰＵ５０１）からの選択信号により動作／非動作が切り換えられる。電源回路４００は、動作状態にあるときは電源回路２００の出力電圧を昇圧して出力し、非動作状態にあるときは電源回路２００の出力電圧をそのまま出力する。選択信号が出力されるタイミングは充電完了信号の出力以降であって点灯開始信号の出力以前となる。
【００２１】
具体的には、制御部５００（ＣＰＵ５０１）が高出力モードを選択する場合、ＣＰＵ５０１からの選択信号は昇圧目標値に対応する電圧信号であり、その昇圧目標値が誤差増幅器３０の正入力端子に入力され、電源回路４００が動作状態となる。分圧抵抗２９で検出される電圧が誤差増幅器３０の負入力端子に入力され、誤差増幅器３０の両入力が等しくなるようにＰＷＭ制御回路３１によって半導体スイッチ２７の導通時間がＰＷＭ制御される。これにより、コンデンサ２８の電圧が一定となり、電源回路４００の定電圧出力が行われる。
【００２２】
制御部５００（ＣＰＵ５０１）が低出力モードを選択する場合、ＣＰＵ５０１からの選択信号は電圧レベル０の信号であり、その電圧レベルが誤差増幅器３０の正入力端子に入力される。これにより、ＰＷＭ制御回路３１は半導体スイッチ２７の非導通（オフ）状態を維持し、電源回路４００は非動作状態となり、コンデンサ２８の電圧は充電コンデンサ１１の電圧に等しくなる。
【００２３】
制御部５００は、ＣＰＵ５０１、メモリ５０２及び通信手段５０３を備える。ＣＰＵ５０１は各要素間の信号のやりとりを制御するプロセッサであり、メモリ５０２はプログラム及びデータを記憶するメモリである。制御部５００には、パソコンやシーケンサ等の入力手段５５０から通信部５０３を介してランプ出力設定値及び点灯指令が入力される。通信手段５０３と入力手段５５０の接続は無線接続によるものであってもよいし、有線接続によるものであってもよい。
【００２４】
ランプ出力設定値には、上述したランプ電流の設定値、ランプ電力の設定値、ランプ点灯時間の設定値等が含まれ、これらは点灯対象となるランプ５０の特性、照射対象となる太陽光モジュールの特性等から任意に設定可能なものとする。なお、以降の説明において、ランプ電流設定値、ランプ電力設定値若しくはランプ点灯時間設定値又はこれらの組合せをまとめてランプ出力設定値というものとする。また、ランプ電流設定値とランプ点灯時間設定値の積であるランプ電流時間積もランプ出力設定値に含まれる。ＣＰＵ５０１は入力手段５５０からの点灯指令を受けて電源回路２００に充電開始信号を出力する。そして、前述したように、ＣＰＵ５０１は、電源回路２００からの充電完了信号を受けて、選択信号を電源回路４００に出力し、その後点灯開始信号を電流制御回路３００及びイグナイタ回路３５０に出力する。
【００２５】
ＣＰＵ５０１は、入力されたランプ出力設定値が所定の閾値を超える場合には高出力モードの選択信号として昇圧目標値を電源回路４００に出力する。従って、電源回路４００の定電圧制御により、電流制御回路３００の定電流制御中にコンデンサ２８の電圧が一定に維持される。ＣＰＵ５０１は、入力されたランプ出力設定値が所定の閾値以下の場合には低出力モードの選択信号として電圧レベル０を電源回路４００に出力して電源回路４００を非動作とする。従って、充電コンデンサ１１及びコンデンサ２８の電圧は電流制御回路３００の動作とともに徐々に低下していく。即ち、ランプ出力設定値が閾値よりも大きく、相対的に大きい充電容量を必要とする場合にだけ半導体スイッチ２７が駆動され、電源回路４００が動作状態とされる。
【００２６】
図２に、本実施例の点灯装置におけるモード選択処理を示す。本実施例では、上記のランプ出力設定値がランプ電流設定値及びランプ点灯時間設定値からなるものとする。
まず、ステップＳ１０において、制御部５００の通信手段５０３が入力手段５５０からランプ出力設定値を受信する。
【００２７】
ステップＳ２０において、ＣＰＵ５０１は、入力されたランプ出力設定値のうちのランプ電流設定値Ｉｓが、メモリ５０２に記憶されている閾値Ｉｔｈ以下か否かを判別する。Ｉｓ≦Ｉｔｈである場合（ステップＳ２０、ＹＥＳ）、処理はステップＳ５０に進み、それ以外の場合（ステップＳ２０、ＮＯ）、処理はステップＳ３０に進む。
【００２８】
ステップＳ３０において、ＣＰＵ５０１は、入力されたランプ出力設定値のうちのランプ点灯時間設定値Ｔｓが、メモリに記憶されている閾値Ｔｔｈ以下か否かを判別する。Ｔｓ≦Ｔｔｈである場合（ステップＳ３０、ＹＥＳ）、処理はステップＳ５０に進み、それ以外の場合（ステップＳ３０、ＮＯ）、処理はステップＳ４０に進む。
【００２９】
ステップＳ４０においては、ＣＰＵ５０１は、ランプ出力設定値Ｉｓ及びＴｓに基づいて電流制御回路３００、イグナイタ回路３５０及び電源回路４００を作動させるための高出力モードを選択する。即ち、その後の点灯動作では、充電コンデンサ１１に充電された電圧が更に昇圧されてコンデンサ２８に充電され、コンデンサ２８の電圧を電源として電流制御回路３００の定電流制御が行われる。
【００３０】
ステップＳ５０においては、ＣＰＵ５０１は、電源回路４００を作動させずにランプ出力設定値Ｉｓ及びＴｓに基づいて電流制御回路３００及びイグナイタ回路３５０を動作させるための低出力モードを選択する。即ち、その後の点灯動作では、充電コンデンサ１１に充電された電圧がそのままコンデンサ２８に充電され、充電コンデンサ１１及びコンデンサ２８の電圧を電源として電流制御回路３００の定電流制御が行われる。
【００３１】
ステップＳ６０において、ＣＰＵ５０１は入力手段５５０から入力される点灯指令を待機する。点灯指令の入力後に充電開始信号がＣＰＵ５０１から電源回路２００に出力され、図１に関して上述した一連の点灯動作が行われる。
【００３２】
なお、本実施例では、ランプ電流設定値又はランプ点灯時間設定値のいずれか一方が閾値を越えた場合に低出力モードが選択される構成を採用しているが、ランプ電流設定値及びランプ点灯時間設定値の双方が閾値を越えた場合に低出力モードが選択される構成としてもよい。また、ランプ電流設定値、ランプ点灯時間設定値又はランプ電力設定値を単独で閾値と比較して出力モードを決定してもよいし、それらの比較結果の論理和又は論理積を用いて出力モードを決定してもよい。
【００３３】
図３に、モード選択処理の変形例を示す。本変形例では、上記のランプ出力設定値がランプ電流時間積の設定値からなる。
上記実施例と同様に、まず、ステップＳ１０において、制御部５００の通信手段５０３が入力手段５５０からランプ出力設定値を受信する。
【００３４】
ステップＳ２５において、ＣＰＵ５０１は、入力されたランプ出力設定値のうちのランプ電流設定値Ｉｓとランプ点灯時間Ｔｓを乗算してランプ電流時間積の設定値ＩＴｓを計算する。
ステップＳ３５において、ＣＰＵ５０１は、ランプ電流時間積の設定値ＩＴｓが、メモリ５０２に記憶されている閾値ＩＴｔｈ以下か否かを判別する。ＩＴｓ≦ＩＴｔｈである場合（ステップＳ３５、ＹＥＳ）、処理はステップＳ５０に進み、それ以外の場合（ステップＳ３５、ＮＯ）、処理はステップＳ４０に進む。
【００３５】
ステップＳ４０、Ｓ５０及びＳ６０の処理は、図２に示した実施例の処理と同様であるので説明を省略する。
【００３６】
図４及び図５は本実施例による点灯装置の動作のタイミングチャートである。両図とも、横軸は経過時間を示し、縦軸の左軸はランプ電流値を示し、縦軸の右軸は充電コンデンサ１１及びコンデンサ２８の電圧値を示す。
【００３７】
図４においては、上記の閾値Ｉｔｈ＝５０（Ａ）、Ｔｔｈ＝５０（ｍｓ）に対して、ランプ電流設定値Ｉｓ＝７０Ａ、ランプ点灯時間設定値Ｔｓ＝５０（ｍｓ）が入力されたものとする。Ｉｓ＞Ｉｔｈであるから、高出力モードが適用される。
【００３８】
ｔ＝０（ｍｓ）の時点で、電源回路２００の充電コンデンサ１１には９００Ｖが充電されているものとする。
ｔ＝２（ｍｓ）の時点で、ＣＰＵ５０１から選択信号が出力され、電源回路４００の昇圧動作が開始される。言い換えると、ｔ＝２（ｍｓ）の時点で選択信号が０Ｖから昇圧目標値に対応する電圧に切り換えられる。電源回路４００による昇圧動作が行われる間、電源回路２００の充電コンデンサ１１の電圧は徐々に低下していく。
ｔ＝８（ｍｓ）において、電源回路４００の出力値が所定の昇圧値（１２００Ｖ）に到達する。
【００３９】
ｔ＝１０（ｍｓ）において、ＣＰＵ５０１から点灯開始信号が出力され、イグナイタ回路３５０が起動され、電流制御回路３００の動作が開始される。電流制御回路３００によるランプ５０への出力動作が行われる間、電源回路２００の充電コンデンサ１１の電圧は徐々に低下していく。一方、ＣＰＵ５０１は選択信号（昇圧目標値）の出力を継続し、電源回路４００において、コンデンサ２８の電圧が一定となるようにＰＷＭ制御回路３１がＩＧＢＴ２７をＰＷＭ制御する。
【００４０】
ｔ＝２０（ｍｓ）にかけてランプ電流が上昇していき、その後、電流制御回路３００による定電流制御は安定な状態となる。
ｔ＝５０（ｍｓ）において、ＣＰＵ５０１は電流制御回路３００及び電源回路４００の動作を停止させ、消灯する。これにより一回の点灯動作が終了する。
【００４１】
図５においては、上記の閾値Ｉｔｈ＝５０（Ａ）、Ｔｔｈ＝５０（ｍｓ）に対して、ランプ電流設定値Ｉｓ＝５０Ａ、ランプ点灯時間設定値Ｔｓ＝５０（ｍｓ）が入力されたものとする。Ｉｓ≦Ｉｔｈであるから、低出力モードが適用される。
【００４２】
ｔ＝０（ｍｓ）の時点で、電源回路２００の充電コンデンサ１１には９００Ｖが充電されているものとする。
ｔ＝１０（ｍｓ）において、ＣＰＵ５０１から点灯開始信号が出力され、イグナイタ回路３５０が起動され、電流制御回路３００の動作が開始される。電流制御回路３００によるランプ５０への出力動作が行われる間、電源回路２００の充電コンデンサ１１の電圧は徐々に低下していく。
【００４３】
ｔ＝２０（ｍｓ）にかけてランプ電流が上昇していき、その後、電流制御回路３００による定電流制御は安定な状態となる。
ｔ＝５０（ｍｓ）において、ＣＰＵ５０１は電流制御回路３００の動作を停止させ、消灯する。これにより一回の点灯動作が終了する。
なお、ｔ＝０〜５０（ｍｓ）にわたってＣＰＵ５０１は選択信号（電圧レベル０Ｖ）の出力を継続し、電源回路４００の非動作が維持されている。
【００４４】
上記構成により、ランプ出力設定値が小さい場合には、電源回路４００の昇圧動作を停止させ、不要な回路損失及びスイッチングノイズが発生することを防止することができる。さらに、上記の構成は、一般的な点灯装置において、制御部のプログラム変更だけで実行可能であるのでコスト的に有利である。そして、本発明の点灯装置によると、広範なランプ（種々の長さ及び特性のランプ）を点灯させることが可能で、安価で信頼性が高く、汎用性の高い擬似太陽光照射装置を提供することができる。
【符号の説明】
【００４５】
５０  閃光放電ランプ
２００  電源回路（第１の電源回路）
３００  電流制御回路
４００  電源回路（第２の電源回路）
５００  制御部
５０１  ＣＰＵ
５０２  メモリ
５０３  通信手段
５５０  入力手段
【図１】
2014067571.tif 000003
【図２】
2014067571.tif 000004
【図３】
2014067571.tif 000005
【図４】
2014067571.tif 000006
【図５】
2014067571.tif 000007